(57)【要約】【課題】オフセット動作において、接合ツールの先端が過度にワーク内部に押し込まれることを防止することができ、且つ所望の接合強度を得ることのできる摩擦攪拌接合装置及びそれを用いた摩擦攪拌接合方法を提供する。【解決手段】傾斜した接合ツール１を回転させながら、加圧軸２を駆動してワークＷの表面に接合ツール１の先端のツールピン１ｃを押し付け、所定の深さまでツールピン１ｃを没入させる押し込み動作を行った後、接合ツール１を回転させながら、ワークＷの表面に沿って接合ツール１を移動させるオフセット動作を行う。オフセット動作において、オフセット動作時加圧力は押し込み動作時加圧力と略等しくなるように加圧軸２に押圧制御を行なう。【選択図】図６
2012157884.tif 000002
【特許請求の範囲】
【請求項１】
接合すべき板状のワークの裏面を支持する裏当て部材と、
前記ワークの表面側に、前記裏当て部材との間に前記ワークを挟むように位置する接合ツールと、
前記接合ツールを保持するツール保持部と、
前記ツール保持部をその回転軸線まわりに回転駆動する回転駆動手段と、
前記ツール保持部を前記ワークの表面の法線方向に沿って変位駆動することで、前記接合ツールを前記ワークの表面の法線方向に沿った方向に移動させて、回転する前記接合ツールの先端を前記ワークの表面に押し付け、摩擦熱で軟化した前記ワークの材料の内部に前記接合ツールの先端を押し込む押し込み動作を行うと共にその押し込み量を調節する加圧軸と、
前記ツール保持部を前記ワークの表面方向に沿って移動させるオフセット動作を行うオフセット軸と、
前記ツール保持部を回転自在および前記ワークの表面の法線方向に沿った方向に移動自在かつ前記ワークの表面方向に沿った方向に移動自在に支持する基体と、
該基体から延設されて、先端に前記裏当て部材が設けられたアームと、
前記回転駆動手段、前記加圧軸、およびオフセット軸を駆動制御する制御手段と、
を備えた摩擦攪拌接合装置であって、
前記接合ツールの軸線が、前記ワークの表面の法線方向に対して、オフセット動作における前記接合ツールの進行方向に該接合ツールの先端が先行するように僅かに傾斜しており、
前記制御手段は、オフセット動作において、オフセット動作時加圧力が押し込み動作時加圧力と略等しくなるように押圧制御することを特徴とする摩擦攪拌接合装置。
【請求項２】
前記制御手段は、オフセット動作中のツール押し込み量が一定となるようにオフセット速度を一定に制御することを特徴とする請求項１に記載の摩擦攪拌接合装置。
【請求項３】
前記制御手段は、オフセット動作中のツール押し込み量が一定となるようにオフセット荷重を一定に制御することを特徴とする請求項１に記載の摩擦攪拌接合装置。
【請求項４】
前記制御手段は、オフセット動作中の加圧軸位置を検出し、該加圧軸位置の変化に応じてオフセット速度を可変制御することを特徴とする請求項１に記載の摩擦攪拌接合装置。
【請求項５】
前記制御手段は、オフセット動作中の加圧軸位置を検出し、該加圧軸位置の変化に応じてオフセット荷重を可変制御することを特徴とする請求項１に記載の摩擦攪拌接合装置。
【請求項６】
接合すべき板状のワークの裏面を支持する裏当て部材と、
前記ワークの表面側に、前記裏当て部材との間に前記ワークを挟むように位置する接合ツールと、
前記接合ツールを保持するツール保持部と、
前記ツール保持部をその回転軸線まわりに回転駆動する回転駆動手段と、
前記ツール保持部を前記ワークの表面の法線方向に沿って変位駆動することで、前記接合ツールを前記ワークの表面の法線方向に沿った方向に移動させて、回転する前記接合ツールの先端を前記ワークの表面に押し付け、摩擦熱で軟化した前記ワークの材料の内部に前記接合ツールの先端を押し込む押し込み動作を行うと共にその押し込み量を調節する加圧軸と、
前記ツール保持部を前記ワークの表面方向に沿って移動させるオフセット動作を行うオフセット軸と、
前記ツール保持部を回転自在および前記ワークの表面の法線方向に沿った方向に移動自在かつ前記ワークの表面方向に沿った方向に移動自在に支持する基体と、
該基体から延設されて、先端に前記裏当て部材が設けられたアームと、を備え、
前記接合ツールの軸線が、前記ワークの表面の法線方向に対して、オフセット動作における前記接合ツールの進行方向に該接合ツールの先端が先行するように僅かに傾斜した摩擦攪拌接合装置を用いた摩擦攪拌接合方法であって、
オフセット動作において、オフセット動作時加圧力が押し込み動作時加圧力と略等しくなるように押圧制御することを特徴とする摩擦攪拌接合方法。
【請求項７】
オフセット動作中のツール押し込み量が一定となるようにオフセット速度を一定に制御することを特徴とする請求項６に記載の摩擦攪拌接合方法。
【請求項８】
オフセット動作中のツール押し込み量が一定となるようにオフセット荷重を一定に制御することを特徴とする請求項６に記載の摩擦攪拌接合方法。
【請求項９】
オフセット動作中の加圧軸位置を検出し、該加圧軸位置の変化に応じてオフセット速度を可変制御することを特徴とする請求項６に記載の摩擦攪拌接合方法。
【請求項１０】
前記制御手段は、オフセット動作中の加圧軸位置を検出し、該加圧軸位置の変化に応じてオフセット荷重を可変制御することを特徴とする請求項６に記載の摩擦攪拌接合方法。
【発明の詳細な説明】
【技術分野】
【０００１】
本発明は、接合ツールの回転による摩擦熱を利用してワークを接合する摩擦攪拌接合装置及びそれを用いた摩擦攪拌接合方法に関する。
【背景技術】
【０００２】
特許文献１には、接合ツールをワークに押し付けつつ回転させることにより、接合ツールとワークの接触点に摩擦熱を発生させて接触点の周囲の材料を軟化させると共に攪拌し、それによりワークを接合する摩擦撹拌接合方法が開示されている。
【０００３】
特許文献２には、接合ツールをワークに対して傾斜させて摩擦攪拌接合を行う例が開示されている。また、特許文献３には、接合ツールを回転させながらワークの表面に沿って移動させる動作（オフセット動作）を行う際に、接合ツールをワークに押し付ける力（オフセット動作時加圧力）が一定になるようにする技術が開示されている。また、特許文献４には、オフセット動作において、オフセット動作時加圧力あるいは接合ツールの移動方向にワークから受ける力（オフセット荷重）をある大きさに制御することで、押し込み量が一定になるようにする技術が開示されている。さらに、特許文献５には、オフセット動作において、接合ツールの移動速度（オフセット速度）を可変とし、オフセット荷重を基準範囲内に制御する技術が開示されている。また一方、特許文献６には、薄板同士の重ね合わせ接合を行う際に、多関節ロボットの先端に基体を設け、基体から延ばしたアームの先端に微小変位機構及び裏当て部材を設け、接合ツールの押し込み動作を行った後、接合ツールが微小距離だけオフセット動作を行う摩擦攪拌接合方法が開示されている。
【先行技術文献】
【特許文献】
【０００４】
【特許文献１】特許第２７１２８３８号公報
【特許文献２】特許第２７９２２３３号公報
【特許文献３】特開２０００−１３５５７７号公報
【特許文献４】特開２００１−１９８６８３号公報
【特許文献５】特開２００４−５０２３４号公報
【特許文献６】特開２００５−３１３２２７号公報
【発明の概要】
【発明が解決しようとする課題】
【０００５】
特許文献１〜特許文献５に開示されている従来の摩擦攪拌接合方法では、ワークを定盤のような剛性の高いテーブルの上にのせて接合するのが一般的であった。このため、接合ツールを回転させながら所定の押し込み量まで没入させる押し込み動作の後、比較的長い距離オフセット動作を行う場合に、押し込み動作時加圧力とオフセット動作時加圧力が異なっていても、ワーク側の剛性が高いので、押し込み動作とオフセット動作とで押し込み量はそれほど変化しなかった。
【０００６】
一方、特許文献６に記載の技術のように、定盤などに比べて剛性が低いアームの先端に、ワークを挟むための裏当て部材を取り付けている場合、アームが加圧力に応じて撓むために、アームに設けた裏当て部材が接合ツールの押し込み動作に対して逃げてしまう。よって、接合ツールを目標の押し込み量まで押込むためには、アーム弾性変形量分を補正して、接合ツールの位置決め動作を行うという手法が一般的に用いられている。特に、特許文献６の技術では、押し込み動作時加圧力とオフセット動作時加圧力を同じにすることで、一連の接合動作における押し込み量補正量が同じになるようにしている。押し込み動作時加圧力とオフセット動作時加圧力を同じにするためには、オフセット動作において、押し込み動作と同じ荷重で押圧するように加圧軸を制御すればよい。
【０００７】
ところが、特に接合ツールの傾斜角（ワーク表面の法線方向に対する接合ツールの軸線の傾斜角）を限定しない場合には、以下のような問題が生じてしまう。
【０００８】
まず、接合ツールの傾斜角が０°の場合、加圧軸を押圧制御しないときには、特許文献４で述べられているように、接合ツールを押し込み方向に対して押し戻す力（浮力）が得られない。よって、浮力と同時に発生するワークに対する加圧力による効果を期待しても、押し込み動作時加圧力と同じだけのオフセット動作時加圧力は得られない。そこで、オフセット動作時加圧力の不足を補うために、加圧軸を押圧制御し、接合ツールをワークにさらに押し込みながらオフセット動作を行うことで、加圧力を得ることができる。
【０００９】
よって、オフセット動作において接合ツールを押し込むためオフセット動作開始点での押し込み量よりオフセット動作終了点での押し込み量がより大きく（板厚に対して深く）なってしまう。
【００１０】
オフセット動作開始点での押し込み量より、オフセット動作終点での押し込み量がより大きくなると、特に薄肉のワークを接合する場合や、比較的長い距離をツールが移動する場合には、オフセット動作終点での押し込み量が大きくなり過ぎ、ワーク残厚（裏当て部材〜接合ツール間の距離）が減少し、条件によっては、接合ツールがワークを突き抜けてしまうという問題が生じる。
【００１１】
また、ワーク突き抜けを防止するために、オフセット動作開始点での押し込み量を小さくすると、十分な接合強度が得られない。
【００１２】
本発明は、上述した事情に鑑みてなされたものであり、その目的は、オフセット動作において、接合ツールの先端が過度にワーク内部に押し込まれることを防止することができ、且つ所望の接合強度を得ることのできる摩擦攪拌接合装置及びそれを用いた摩擦攪拌接合方法を提供することにある。
【課題を解決するための手段】
【００１３】
本発明は以下の態様を提供する。
（１）接合すべき板状のワークの裏面を支持する裏当て部材と、
前記ワークの表面側に、前記裏当て部材との間に前記ワークを挟むように位置する接合ツールと、
前記接合ツールを保持するツール保持部と、
前記ツール保持部をその回転軸線まわりに回転駆動する回転駆動手段と、
前記ツール保持部を前記ワークの表面の法線方向に沿って変位駆動することで、前記接合ツールを前記ワークの表面の法線方向に沿った方向に移動させて、回転する前記接合ツールの先端を前記ワークの表面に押し付け、摩擦熱で軟化した前記ワークの材料の内部に前記接合ツールの先端を押し込む押し込み動作を行うと共にその押し込み量を調節する加圧軸と、
前記ツール保持部を前記ワークの表面方向に沿って移動させるオフセット動作を行うオフセット軸と、
前記ツール保持部を回転自在および前記ワークの表面の法線方向に沿った方向に移動自在かつ前記ワークの表面方向に沿った方向に移動自在に支持する基体と、
該基体から延設されて、先端に前記裏当て部材が設けられたアームと、
前記回転駆動手段、前記加圧軸、およびオフセット軸を駆動制御する制御手段と、
を備えた摩擦攪拌接合装置であって、
前記接合ツールの軸線が、前記ワークの表面の法線方向に対して、オフセット動作における前記接合ツールの進行方向に該接合ツールの先端が先行するように僅かに傾斜しており、
前記制御手段は、オフセット動作において、オフセット動作時加圧力が押し込み動作時加圧力と略等しくなるように押圧制御することを特徴とする摩擦攪拌接合装置。
（２）前記制御手段は、オフセット動作中のツール押し込み量が一定となるようにオフセット速度を一定に制御することを特徴とする（１）に記載の摩擦攪拌接合装置。
（３）前記制御手段は、オフセット動作中のツール押し込み量が一定となるようにオフセット荷重を一定に制御することを特徴とする（１）に記載の摩擦攪拌接合装置。
（４）前記制御手段は、オフセット動作中の加圧軸位置を検出し、該加圧軸位置の変化に応じてオフセット速度を可変制御することを特徴とする（１）に記載の摩擦攪拌接合装置。
（５）前記制御手段は、オフセット動作中の加圧軸位置を検出し、該加圧軸位置の変化に応じてオフセット荷重を可変制御することを特徴とする（１）に記載の摩擦攪拌接合装置。
（６）接合すべき板状のワークの裏面を支持する裏当て部材と、
前記ワークの表面側に、前記裏当て部材との間に前記ワークを挟むように位置する接合ツールと、
前記接合ツールを保持するツール保持部と、
前記ツール保持部をその回転軸線まわりに回転駆動する回転駆動手段と、
前記ツール保持部を前記ワークの表面の法線方向に沿って変位駆動することで、前記接合ツールを前記ワークの表面の法線方向に沿った方向に移動させて、回転する前記接合ツールの先端を前記ワークの表面に押し付け、摩擦熱で軟化した前記ワークの材料の内部に前記接合ツールの先端を押し込む押し込み動作を行うと共にその押し込み量を調節する加圧軸と、
前記ツール保持部を前記ワークの表面方向に沿って移動させるオフセット動作を行うオフセット軸と、
前記ツール保持部を回転自在および前記ワークの表面の法線方向に沿った方向に移動自在かつ前記ワークの表面方向に沿った方向に移動自在に支持する基体と、
該基体から延設されて、先端に前記裏当て部材が設けられたアームと、を備え、
前記接合ツールの軸線が、前記ワークの表面の法線方向に対して、オフセット動作における前記接合ツールの進行方向に該接合ツールの先端が先行するように僅かに傾斜した摩擦攪拌接合装置を用いた摩擦攪拌接合方法であって、
オフセット動作において、オフセット動作時加圧力が押し込み動作時加圧力と略等しくなるように押圧制御することを特徴とする摩擦攪拌接合方法。
（７）オフセット動作中のツール押し込み量が一定となるようにオフセット速度を一定に制御することを特徴とする（６）に記載の摩擦攪拌接合方法。
（８）オフセット動作中のツール押し込み量が一定となるようにオフセット荷重を一定に制御することを特徴とする（６）に記載の摩擦攪拌接合方法。
（９）オフセット動作中の加圧軸位置を検出し、該加圧軸位置の変化に応じてオフセット速度を可変制御することを特徴とする（６）に記載の摩擦攪拌接合方法。
（１０）前記制御手段は、オフセット動作中の加圧軸位置を検出し、該加圧軸位置の変化に応じてオフセット荷重を可変制御することを特徴とする（６）に記載の摩擦攪拌接合方法。
【発明の効果】
【００１４】
上記（１）及び（６）に記載の発明によれば、接合ツールが傾斜しているので、接合ツールの進行方向のワーク母材が、接合ツールの先端のショルダー部にクサビ状に流入することになり、このワーク母材の流入が動圧を発生させ、浮力が発生する。接合ツールの傾斜角に応じた浮力が発生することによって、オフセット動作時加圧力をある程度打ち消すことができる。よって、定盤などに比べて剛性が低いアームを用いた構成においても、接合ツールの傾斜角が０°の場合に比べ、接合ツールを傾斜させることによって、接合ツールの先端が過度にワーク内部に押し込まれることを抑制することができる。これにより、薄肉のワークを接合する場合や、比較的長い距離をツールが移動する場合においても接合ツールがワークを突き抜けてしまうおそれが低減される。また、オフセット動作開始点での押し込み量を大きく設定でき接合強度を向上させることができる。
【００１５】
上記（２）、（３）、（７）及び（８）に記載の発明によれば、オフセット動作時加圧力とオフセット動作での浮力が釣り合うことになるから、オフセット動作において接合ツールの押し込み量が増加することがより抑制される。よって、オフセット動作開始点での押し込み量を大きく設定でき接合強度を向上させることができる。
【００１６】
上記（４）、（５）、（９）及び（１０）に記載の発明によれば、オフセット動作時加圧力が一定であるからアームの弾性変形量はオフセット動作中一定であり、加圧軸位置を検出することでツール押し込み量を推定することができる。特に、数点の接合を短時間で行う場合、接合ツールの温度上昇によって最適なオフセット速度あるいはオフセット荷重は変化してくるが、そのような場合でも加圧軸位置を検出し、加圧軸位置がオフセット中に押し込み方向に増加している場合にはオフセット速度あるいはオフセット荷重をあげることで接合ツールに作用する抵抗が増し、押し込み量の増加を回避できる。従って、多点接合を行う場合であっても押し込み量を安定させることができる。よって、オフセット動作開始点での押し込み量を大きく設定でき接合強度を向上させることができる。
【図面の簡単な説明】
【００１７】
【図１】本発明の一実施形態の摩擦撹拌接合装置の側面図である。
【図２】図１の摩擦撹拌接合装置に組み込まれている２軸駆動ユニットの平面図である。
【図３】図２の２軸駆動ユニットの側面図である。
【図４】図２の２軸駆動ユニットに使用されているボールねじ一体型直動案内ユニットの断面図である。
【図５】摩擦撹拌接合装置の正面図であり、接合ツールが傾斜していることを示す図である。
【図６】同実施形態の作用説明用の拡大図で、（ａ）はワークの表面に接合ツールを回転させながら接近させている状態を示す図、（ｂ）はワークの内部に接合ツールの先端のツールピンを没入させている押し込み動作時の状態を示す図、（ｃ）はオフセット動作時加圧力が押し込み動作時加圧力と略等しくなるように加圧軸に押圧制御を行ないながら接合ツールをワークの表面方向に沿って移動させるオフセット動作を行っている状態を示す図、（ｄ）はオフセット動作終了後にワークから接合ツールを退避させている状態を示す図である。
【図７】比較例として接合ツールが傾斜していない摩擦撹拌接合装置を示す正面図である。
【図８】同比較例の作用説明用の拡大図で、（ａ）はワークの内部に接合ツールの先端のツールピンを没入させている押し込み動作終了時点の状態を示す図、（ｂ）はオフセット動作時加圧力が押し込み動作時加圧力と略等しくなるように加圧軸に押圧制御を行ないながら接合ツールをワークの表面方向に沿って移動させるオフセット動作を行っている状態を示す図である。
【発明を実施するための形態】
【００１８】
以下、本発明の一実施形態を図面に基づいて説明する。
図１は本発明の一実施形態の摩擦撹拌接合装置の側面図、図２は図１の摩擦撹拌接合装置に組み込まれている２軸駆動ユニットの平面図、図３は図２の２軸駆動ユニットの側面図、図４は図２の２軸駆動ユニットに使用されているボールねじ一体型直動案内ユニットの断面図、図５は摩擦撹拌接合装置の正面図である。
【００１９】
図１に示すように、この摩擦撹拌接合装置Ｍには、摩擦撹拌接合のための接合ツール１をワークに接近／離間させる加圧軸２と、接合ツール１を加圧軸２と略直交する方向に移動させるオフセット軸３と、接合ツール１をその中心軸Ｑ（図５参照）まわりに回転させる旋回軸４とが設けられている。ここで、加圧軸２は、互いに直交するＸ軸とＹ軸のうちのＸ軸として設定され、オフセット軸３はＹ軸として設定されている。これら加圧軸２とオフセット軸３は、２軸駆動ユニット５の互いに直交する２軸をなしている。
【００２０】
図２及び図３に示すように、２軸駆動ユニット５は、第１のボールねじ一体型直動案内ユニット１０Ａと第２のボールねじ一体型直動案内ユニット１０Ｂとを、両者の軸線方向を互いに直交する関係に設定して組み合わせることで構成されている。
【００２１】
加圧軸２（Ｘ軸）を構成する第１のボールねじ一体型直動案内ユニット１０Ａ及びオフセット軸３（Ｙ軸）を構成する第２のボールねじ一体型直動案内ユニット１０Ｂは、それぞれ、例えば図４に示すように、直動案内軸受１１とボールねじ１２の組み合わせで構成されている。
【００２２】
直動案内軸受１１は、断面が略Ｕ字状に形成された案内レール１３と、案内レール１３のＵ字状の凹部内に配置されたスライダ１４と、案内レール１３とスライダ１４の間に配置された複数の転動体１５と、を備えている。案内レール１３は、スライダ１４と対向配置される各袖部１３Ａの内側面に転動面１６Ａを有し、スライダ１４は、案内レール１３の転動面１６Ａに対向配置される転動面１６Ｂを有しており、案内レール１３の転動面１６Ａとスライダ１４の転動面１６Ｂとの間に転動体（図ではコロ）１５が介在され、それにより、スライダ１４と案内レール１３とが相対的に直線移動可能とされている。
【００２３】
この場合、案内レール１３の転動面１６Ａとスライダ１４の転動面１６Ｂとの間には、転動体１５の移動する転動通路１６が左右それぞれ上下に二列、即ち全体で二対四列形成される。スライダ１４には、転動体１５の戻し通路１６Ｄと、戻し通路１６Ｄと転動通路１６とを連通する方向転換路（図示略）とが形成され、転動体１５が、転動通路１６と方向転換路と戻し通路１６Ｄとから構成される無限循環路を循環するようになっている。
【００２４】
また、ボールねじ１２は、案内レール１３と平行に形成されたボールねじナット１７と、ボールねじナット１７を貫通するボールねじ軸１８と、ボールねじナット１７の螺旋溝とボールねじ軸１８の螺旋溝との間に配置された複数のボール１９と、を備えている。そして、ボールねじ一体型直動案内ユニット１０Ａ、１０Ｂは、ボールねじ１２の要素であるボールねじナット１７を直動案内軸受１１の要素であるスライダ１４に直接形成することにより、ボールねじ１２と直動案内軸受１１とを一体に備えた機構部品として構成されている。
【００２５】
また、２軸駆動ユニット５は、図３に示すように、第１、第２の２つのボールねじ一体型直動案内ユニット１０Ａ、１０Ｂを、各ユニット１０Ａ、１０Ｂの直動案内軸受１１の案内方向（軸線方向）が互いに交差（本実施形態では略直交する）する２軸となるように、各ユニット１０Ａ、１０Ｂのスライダ１４を、互いのフランジ１４ａ同士がボルト等の結合手段により結合して互いに組み合わせることにより構成されている。なお、２つのスライダ１４は、最初から一体に成形してあってもよい。
【００２６】
第１、第２の２つのボールねじ一体型直動案内ユニット１０Ａ、１０Ｂは、図２に示すように、Ｘ軸（加圧軸２）側の第１のボールねじ一体型直動案内ユニット１０Ａのスライダ１４のスライダ中心ＰＡ（以下、「加圧軸スライダ中心」とも言う）と、Ｙ軸（オフセット軸３）側の第２のボールねじ一体型直動案内ユニット１０Ｂのスライダ１４のスライダ中心ＰＢ（以下、「オフセット軸スライダ中心」とも言う）の位置を互いにずらしたうえで、両スライダ１４同士を結合することにより、互いに組み合わせられており、２つのスライダ中心ＰＡ、ＰＢ間の距離（ずれ量Ｌｓ）は任意に設定されている。ここで、スライダ中心とは、スライダ上面から見て、長手軸方向に沿った有効長の中心且つスライダ断面の中心にある点である。
【００２７】
この場合、オフセット軸スライダ中心ＰＢは、加圧軸スライダ中心ＰＡに対して、オフセット軸３の軸線に沿って位置がずれている。すなわち、加圧軸スライダ中心ＰＡ上をオフセット軸３の軸線が通っており、そのオフセット軸３の軸線上にオフセット軸スライダ中心ＰＢが位置している。しかも、オフセット軸スライダ中心ＰＢは、加圧軸スライダ中心ＰＡに対して、接合ツール１のオフセット動作時の進行方向ＹＡ（図２及び図５の紙面右方向）と逆の方向に位置がずれている。
【００２８】
図１に示すように、このように２軸駆動ユニット５を用いて加圧軸（Ｘ軸）２とオフセット軸（Ｙ軸）３を構成した摩擦撹拌接合装置Ｍは、接合ツール１をワーク（図示略）に押し付けつつ回転させることにより、接合ツール１とワークの接触点に摩擦熱を発生させて当該接触点の周囲の材料を軟化させると共に撹拌し、それにより接合ツール１をワークに没入させ、没入後、接合ツール１をワークの表面方向に移動させることで、ワークを線状に接合するものである。
【００２９】
その際、接合ツール１は、ワークの表面側に、後述する裏当て部材５２との間にワークを挟むように位置する。加圧軸２は、接合ツール１を加圧軸２の軸線方向に移動させてワークに接近／離間させる。すなわち、接合ツール１をワークの表面の法線方向に移動させて、回転する接合ツール１の先端をワークの表面に押し付け、摩擦熱で軟化したワークの材料の内部に接合ツール１の先端を押し込む押し込み動作を行うと共に、その押し込み量を調節する役目を果たす。
【００３０】
また、オフセット軸３は、接合ツール１を加圧軸２と直交する方向であるワークの表面方向（Ｙ軸）に移動させるオフセット動作を実行する役目を果たす。
【００３１】
加圧軸２を構成する第１のボールねじ一体型直動案内ユニット１０Ａの案内レール１３は、摩擦攪拌接合装置Ｍの基体をなすもので、この案内レール１３の下面には、プレート５８を介して、Ｃ字形のアーム５０の基端が固定されている。アーム５０の先端は、片持状態で接合ツール１の先端に対向する位置の近くまで延びている。
【００３２】
また、オフセット軸３を構成する第２のボールねじ一体型直動案内ユニット１０Ｂの案内レール（基体）１３に、接合ツール１を回転自在に装着したスピンドル（ツール保持部）３０が固定されている。従って、加圧軸２のスライダ１４及びオフセット軸３の案内レール１３は、それぞれ加圧軸２のボールねじ１２及びオフセット軸３のボールねじ１２によって駆動される。なお、加圧軸２のボールねじ１２及びオフセット軸３のボールねじ１２は、それぞれベルト４１Ａ、４１Ｂを介して、加圧軸モータ４２及びオフセット軸モータ４３によって駆動される。加圧軸モータ４２には、エンコーダ等の回転検出器が設けられており、加圧軸２のスライダ１４の位置が検出可能に構成される。
【００３３】
接合ツール１は、旋回軸４を構成するスピンドル３０によってツールホルダ３５を介して回転自在に保持されたツール本体１ａの先端面に、ツール本体１ａよりも小径なツールピン１ｃを突設し、ツール本体１ａの先端面におけるピン１ｃの取付部の周辺をショルダー部１ｂとして構成したものである。
【００３４】
スピンドル３０は、オフセット軸３方向（図１のＹ軸方向）から見てワークの表面の法線方向に沿うように設定された回転軸線（接合ツール１の中心軸Ｑと一致）を有し、該回転軸線と同軸に接合ツール１を保持するものである。なお、この回転軸線は後述するようにオフセット軸３と加圧軸２に直交する方向（図５のＺ軸方向）から見た場合、ワークの表面の法線方向に対し傾斜している。スピンドル３０は、複数の軸受３１を収容するスピンドルハウジング３２と、軸受３１と、軸受３１によって回転可能に保持されたスピンドルシャフト３３とによって構成され、スピンドルシャフト３３の接合ツール１側には、接合ツール１を着脱可能に保持するツールホルダ３５が設けられている。スピンドルシャフト３３は、プーリ４６とベルト４７を介して旋回軸モータ（回転駆動手段）４４によって駆動される。なお、スピンドル３０と旋回軸モータ４４は、旋回軸ブラケット４８を介して、オフセット軸３の案内レール１３の取り付け面１３ａに固定されている。
【００３５】
上述のようにベルト４７を介してスピンドルシャフト３３を駆動するようにしたことで、接合ツール１と旋回軸モータ４４は芯違いになっており、芯違いとしたことで、接合ツール１の高さ、つまりは、２軸駆動ユニット５にとっての外部荷重の作用点を、取り付け面１３ａ（オフセット軸３の案内レール１３に旋回軸ブラケット４８を固定している面）の法線方向（矢印Ｚ方向、以下取り付け面法線方向とも呼ぶ。）に低く抑えることができるようになる。
【００３６】
これにより、加圧軸２のスライダ１４に作用するピッチングモーメント及びオフセット軸３のスライダ１４に作用するローリングモーメントを小さく抑えることができ、その結果、転動体１５に作用する面圧を低減できるようになる。
【００３７】
また、オフセット軸３のスライダ１４と加圧軸２のスライダ１４を結合したことで、オフセット軸３の案内レール１３がスピンドル３０を支持する部材となるので、スピンドル３０の取り付け面積を大きくとれると共に、接合ツール１からの加圧力をオフセット３の案内レール１３の側面１３ｂの大きな面積で受けることができるようになる。
【００３８】
旋回軸ブラケット４８とオフセット軸３の案内レール１３の側面１３ｂとの間には、傾斜付与部材４９が設けられおり、オフセット軸３と加圧軸２に直交する方向（図５のＺ軸方向）から見て接合ツール１の中心軸Ｑが加圧軸２の軸線に対して傾斜している。傾斜の方向は、オフセット動作において、接合ツール１をオフセット（進行）させる方向である。つまり、接合ツール１の軸線（中心軸Ｑ）は、図６に示すように、ワークＷの表面の法線方向Ｈｓに対して、オフセット動作における接合ツール１の進行方向ＹＡに接合ツール１の先端が先行するように僅かに、例えば１°〜６°傾斜している。
【００３９】
図１に戻って、加圧軸２の案内レール１３に基端部が固定されたＣ字形のアーム５０の先端には、加圧力検出手段５１及び裏当て部材５２が設けられている。裏当て部材５２は、図６に示すように、接合すべき板状のワークＷの裏面を支持するもので、接合ツール１と裏当て部材５２の間にワークＷを挟むことで、ワークＷに対して接合ツール１により加圧力を作用させることができるようになっている。
【００４０】
接合の際に、ワークＷは、２枚以上の薄板を重ね合せて配置される。また、ワークＷの最表面とオフセット軸３の案内レール１３が平行となるように設定される。なお、ワークＷは、表裏が平行な薄板同士であることが多いため、裏当て部材５２のワーク接触面とオフセット軸３の案内レール１３を平行に配置しているが、ワークＷの形状によって適宜変えてもよい。例えば、ワークＷがある角度をもった傾斜部材である場合には、裏当て部材５２とオフセット軸３の案内レール１３を傾斜部材の角度だけ傾けて配置してもよい。
【００４１】
また、この摩擦攪拌接合装置Ｍは、上述した旋回軸モータ４４、加圧軸モータ４２及びオフセット軸モータ４３を駆動制御するための制御手段（図示略）を有している。この制御手段は、次のように制御を実行する。
【００４２】
まず、図６（ａ）のように、接合ツール１を回転させながら加圧軸２の駆動によって接合ツール１を押し込み方向ＸＡに移動させ、接合ツール１をワークＷ１、Ｗ２を上下に重ね合わせたワークＷ表面に接触させる。次に、加圧軸２を一定の加圧力で押圧制御し、接合ツール１の先端のツールピン１ｃとワークＷ間の摩擦によってワークＷを軟化させ、図６（ｂ）のように、ツールピン１ｃをワークＷの中に回転させながら没入させ、接合ツール１を回転させながら、所定の押し込み量まで没入させるという押し込み動作を行う。
【００４３】
この押し込み動作では、アーム５０が加圧力（押し込み動作時加圧力）に応じて撓むため、裏当て部材５２が接合ツール１の押し込み動作に対して逃げてしまう。よって接合ツール１を目標の押し込み量まで押込むために、アーム５０の弾性変形量δ分を補正して接合ツール１の位置決め動作を行なっている。
【００４４】
ワークＷにショルダー部１ｂを接触させ、目標位置まで接合ツール１を没入させた後、図６（ｃ）に示すように、接合ツール１を回転させながら、ワークＷの表面に沿って接合ツール１を矢印ＹＡ方向に移動させるオフセット動作を行う。このとき、オフセット動作時の加圧力（オフセット動作時加圧力）は押し込み動作時加圧力と略等しくなるように加圧軸２に押圧制御を行なう。
【００４５】
そして、目標距離だけオフセット動作を行った後に、図６（ｄ）に示すように、加圧軸２を押し込み動作の時と逆方向（ＸＢ方向）に駆動させて、接合ツール１をワークＷより退避させる。
【００４６】
本発明では、接合ツール１が傾斜しているので、図６（ｃ）に示すオフセット動作においてオフセット動作時の接合ツール１の進行方向に対して、接合ツール１のショルダー部１ｂをワークＷに対して向い角を持って接触させることができる。接合ツール１の進行方向ＹＡのワーク母材が接合ツール１の先端のショルダー部１ｂにクサビ状に流入し、このワーク母材の流入が動圧を発生させ、接合ツール１を押し込み方向に対して押し戻す浮力を発生させる。接合ツール１の傾斜角αに応じた浮力が発生することによって、オフセット動作時加圧力をある程度打ち消すことができる。
【００４７】
よって、定盤などに比べて剛性が低いアーム５０を用いた場合であっても、接合ツール１の傾斜角が０°の場合に比べ、接合ツール１を傾斜させることによって、接合ツール１が過度にワークＷに押込まれることが抑制される。つまり、ツールピン１ｃの先端と裏当て部材５２との間に残り厚さεを確保することができ、接合ツール１の押し込み量が過度に大きくなることを防止したことで、薄肉のワークＷを接合する場合や、比較的長い距離を接合ツール１が移動する場合においても接合ツール１がワークＷを突き抜けてしまうおそれが低減される。これにより、オフセット動作開始点での押し込み量を大きく設定でき接合強度を向上させることができる。
【００４８】
このオフセット動作の際、制御手段は、オフセット動作中の接合ツール１の押し込み量が一定となるようにオフセット動作時の速度（オフセット速度）、または、オフセット動作時の荷重（オフセット荷重）を一定に制御することが好ましい。これにより、オフセット動作時加圧力とオフセット動作での浮力が釣り合うことになるから、オフセット動作において接合ツール１の押し込み量が増加することがより抑制される。よって、オフセット動作開始点での押し込み量を大きく設定でき接合強度を向上させることができる。
【００４９】
また、制御手段は、オフセット動作中の加圧軸位置（加圧軸２のスライダ１４の位置）を検出し、該加圧軸位置の変化に応じてオフセット速度又はオフセット荷重を可変制御してもよい。オフセット動作時加圧力が一定であるからアーム５０の弾性変形量はオフセット動作中一定であり、加圧軸２のスライダ１４の位置を検出することで接合ツール１の押し込み量を推定することができる。特に、数点の接合を短時間で行う場合、接合ツール１の温度上昇によって最適なオフセット速度あるいはオフセット荷重は変化してくるが、そのような場合でも加圧軸２のスライダ１４の位置を検出し、スライダ１４の位置がオフセット中に押し込み方向に増加している場合にはオフセット速度あるいはオフセット荷重をあげることで、押し込み量が増加するのが抑制される。これは、接合ツール１の温度が上昇すると、これに伴ってワークＷが軟化しやすくなり接合ツール１の移動時の抵抗が減少するが、オフセット速度又はオフセット荷重をあげることで接合ツール１に作用する抵抗が増すからである。従って、多点接合を行う場合であっても押し込み量を安定させることができる。よって、オフセット動作開始点での押し込み量を大きく設定でき接合強度を向上させることができる。
【００５０】
次に、比較のため接合ツール１の軸線Ｑが、ワークＷの表面の法線方向Ｈｓに対して傾斜せずに傾斜角０°として配置された摩擦撹拌接合装置について説明する。
図７は接合ツールが傾斜していない摩擦撹拌接合装置を示す正面図であり、図８は図７の摩擦撹拌接合装置の作用説明用の拡大図で、（ａ）はワークの内部に接合ツールの先端のツールピンを没入させている押し込み動作終了時点の状態を示す図、（ｂ）はオフセット動作時加圧力が押し込み動作時加圧力と略等しくなるように加圧軸に押圧制御を行ないながら接合ツールをワークの表面方向に沿って移動させるオフセット動作を行っている状態を示す図である。
【００５１】
押し込み動作では、上記実施形態と同様に、接合ツール１を回転させながら所定の押し込み量まで没入させる（図８（ａ））。
【００５２】
しかしながら、オフセット動作では、接合ツール１の傾斜角が０°なので、上記したようなワーク母材の流入による浮力は発生しない。よって、オフセット動作でも、押し込み動作と同じ加圧力によって押し込み動作を行いながら、オフセット動作を行うことになる。接合ツール１がワークＷに押込まれるに従って裏当て部材５２〜接合ツール１間の距離、つまりワークＷ残厚が減少する。よって、図８（ｂ）のように、オフセット動作開始点での押し込み量より、オフセット動作終点での押し込み量が大きくなる。
【００５３】
オフセット動作開始点での押し込み量より、オフセット動作終点での押し込み量が大きくなると、特に薄肉のワークＷを接合する場合や、比較的長い距離を接合ツール１が移動する場合には、オフセット動作終点での押し込み量が大きくなり、ワーク残厚が減少し、条件によってはワークＷを突き抜けてしまうという問題が生じる。また、ワーク突き抜けを防止するために、オフセット動作開始点での押し込み量を小さくすると十分な強度が得られない。
【００５４】
これに対し、本実施形態は、上述したように、接合ツール１が傾斜しているので、接合ツール１の先端が過度にワーク内部に押し込まれることを抑制することができる。これにより、薄肉のワークを接合する場合や、比較的長い距離をツールが移動する場合においても接合ツールがワークを突き抜けてしまうおそれが低減される。また、オフセット動作開始点での押し込み量を大きく設定でき接合強度を向上させることができる。
【実施例】
【００５５】
次に本発明の摩擦接合装置Ｍを用いた実施例について説明する。
【００５６】
《第１実施例》
第１実施例では、オフセット動作中の接合ツールの押し込み量が一定となるようにオフセット速度を一定に制御した。
【００５７】
オフセット動作時に加圧軸は押圧制御を行なっているが、板厚２ｍｍ、２枚のアルミ板を重ね合せ接合を行うに際し、接合ツールショルダ径８ｍｍ、接合ツール先端ピンＭ３ねじ形状、接合ツール先端ピン高さ３ｍｍ、接合ツール傾斜角３°、押し込み時加圧力４ｋＮ、接合ツール回転数２０００ｒｐｍ、オフセット開始点での押し込み量２．９ｍｍにおいて、オフセット速度１５ｍｍ／ｓとしたとき、オフセット動作時加圧力とワーク母材の流入によって発生した浮力とがほぼ釣り合っており、加圧軸はほぼ停止していた。よって、接合ツール〜裏当て部材間距離、つまり、ワーク残厚もほぼ一定であった。
【００５８】
《第２実施例》
第２実施例では、オフセット動作中の接合ツールの押し込み量が一定となるようにオフセット荷重を一定に制御した。
【００５９】
オフセット動作時に加圧軸は押圧制御を行なっているが、板厚２ｍｍ、２枚のアルミ板を重ね合せ接合を行う場合、接合ツールショルダ径８ｍｍ、接合ツール先端ピンＭ３ねじ形状、接合ツール先端ピン高さ３ｍｍ、接合ツール傾斜角３°、押し込み時加圧力４ｋＮ、接合ツール回転数２０００ｒｐｍ、オフセット開始点での押し込み量２．９ｍｍにおいて、オフセット荷重８００Ｎとしたとき、オフセット動作時加圧力とワーク母材の流入によって発生した浮力とがほぼ釣り合っており、加圧軸はほぼ停止していた。よって、接合ツール〜裏当て部材間距離、つまり、ワーク残厚もほぼ一定であった。
【００６０】
上記第１実施例、第２実施例では、オフセット動作での浮力とオフセット動作時加圧力とがつりあうことになるから、オフセット動作において押し込み量が増加することがなかった。
【００６１】
次に第３及び第４実施例では、多点接合を行なった。
《第３実施例》
第３実施例では、加圧軸モータのエンコーダ値をモニタし、加圧軸位置を検出した。１点目の接合においては第１実施例と同様の条件でオフセット速度を設定することで加圧軸は停止しているが、短時間で接合点数が増すにつれて加圧軸位置がオフセット中に押し込み方向に増加している様子が観察されたため、増加量がある閾値を超えた時点でオフセット速度を大きくした。
【００６２】
《第４実施例》
第４実施例では、加圧軸モータのエンコーダ値をモニタし、加圧軸位置を検出した。１点目の接合においては第２実施例と同様の条件でオフセット荷重を設定することで加圧軸は停止しているが、短時間で接合点数が増すにつれて加圧軸位置がオフセット中に押し込み方向に増加している様子が観察されたため、増加量がある閾値を超えた時点でオフセット荷重を大きくした。
【００６３】
上記第３実施例、第４実施例では、加圧軸のスライダの位置を検出し、スライダの位置がオフセット中に押し込み方向に増加している場合にはオフセット速度あるいはオフセット荷重をあげることで、多点接合においても押し込み量が増加することがなかった。
【００６４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、加圧軸２のスライダ１４の位置を検出するために加圧軸モータ４２に設けられた回転検出器の代わりに、スライダ１４の位置を直接検出可能なリニアスケールを設けてもよい。
【符号の説明】
【００６５】
Ｍ  摩擦撹拌接合装置
１  接合ツール
１ａ  ツール本体
１ｂ  ショルダー部
１ｃ  ツールピン
２  加圧軸
３  オフセット軸
４  旋回軸
１３  案内レール（基体）
３０  スピンドル（ツール保持部）
４２  加圧軸モータ
４３  オフセット軸モータ
４４  旋回軸モータ（回転駆動手段）
５０  アーム
５２  裏当て部材
Ｗ  ワーク
Ｑ  接合ツールの中心軸（回転軸線）
【図１】
2012157884.tif 000003
【図２】
2012157884.tif 000004
【図３】
2012157884.tif 000005
【図４】
2012157884.tif 000006
【図５】
2012157884.tif 000007
【図６】
2012157884.tif 000008
【図７】
2012157884.tif 000009
【図８】
2012157884.tif 000010